(57)【要約】  弾性プレート（２）は、各フランジ（３）上の打ち出し爪部（６）と弾性連結部分（５）とを有する爪付プレートの形態にすることができる。複数の弾性プレート（２）は、離間配置された一組のスタッドと、離間配置された一組の上プレートと、離間配置された一組の底プレートを連結し、壁などの組み立て式建築フレームを形成する。音響減衰のマス―スプリング―マス（mass-spring-mass）の原理を利用する弾性プレートは、建築フレームの要素に衝撃を与える音響に反作用し、要求される音響減衰を提供する。代替的な実施形態では、プレート（２）は、スタッドを形成することができ、及び／又はフランジのうちの一つを石工ウォール又はコンクリートウォールに固定することができる。
2007505242.tif 000002
【特許請求の範囲】
【請求項１】
建築構造物の音響減衰に使用するプレートであって、
前記プレートは、離間配置された第１フランジ及び第２フランジを有し、該各フランジは、使用において前記建築構造物のそれぞれの要素に固定されるようになっており、
また、前記プレートは、
前記フランジの隣接端部間で伸びる弾性連結手段を有し、該弾性連結手段は、単一の実質的にＵ字状又はＶ字状を画定する前記プレートの折れ曲がった部分で構成されることを特徴とするプレート。
【請求項２】
請求項１に記載のプレートにおいて、
前記弾性連結手段に隣接する前記各フランジは、前記要素に対して前記プレートを位置決めするための直立位置決め手段がそれぞれ設けられていることを特徴とするプレート。
【請求項３】
請求項２に記載のプレートにおいて、
前記直立位置決め手段は、１つ以上の突出部を有することを特徴とするプレート。
【請求項４】
請求項１乃至３のうちのいずれか一つに記載のプレートにおいて、
前記各フランジは、複数の直立爪部又は複数の釘穴を有することを特徴とするプレート。
【請求項５】
請求項１乃至４のうちのいずれか一つに記載のプレートにおいて、
前記プレートは、不特定の長さを有する長尺状のストリップの形態であることを特徴とするプレート。
【請求項６】
請求項１乃至５のうちのいずれか一つに記載のプレートにおいて、
前記フランジの少なくとも一つは、前記要素のそれぞれに固定されるように端部フランジに折り曲げられてつながった第１のフランジを形成するように折り曲げられていることを特徴とするプレート。
【請求項７】
請求項１乃至６のうちのいずれか一つに記載のプレートにおいて、
前記プレートは、スタッドとして使用されるようになっており、前記フランジの少なくとも一つは、端部フランジ及び折り返し端部を設けるために張り出して折り曲げられていることを特徴とするプレート。
【請求項８】
建築フレームであって、
前記建築フレームは、
相互に連結されることを必要とする離間配置された少なくとも一組のフレーム要素と、離間配置された第１フランジ及び第２フランジを有する少なくとも一つのプレートとを有し、該各フランジは、前記フレーム要素のそれぞれに固定されており、
また、前記建築フレームは、
前記フレーム要素を離間配置するため前記フランジ間で伸びる弾性連結手段を有し、該弾性連結手段は、単一の実質的にＵ字状又はＶ字状を画定する前記プレートの折れ曲がった部分で構成され、
この構造によって、前記フレーム要素に直接的又は間接的に作用する音響が前記弾性連結手段を動作させて、前記建築フレームが組み込まれた建築構造物に対し音響減衰特性を提供することを特徴とする建築フレーム。
【請求項９】
請求項８に記載の建築フレームにおいて、
前記フレーム要素は、離間配置された上プレート、離間配置された底プレート及び離間配置されたスタッドで構成されることを特徴とする建築フレーム。
【請求項１０】
請求項８又は９に記載の建築フレームにおいて、
複数の前記プレートは、一組の前記スタッドの間、一組の前記底プレートの間及び一組の前記上プレートの間をそれぞれ連結しており、隣接する前記プレートは、前記スタッド、底プレート及び上プレートの交互の側面に連結されていることを特徴とする建築フレーム。
【請求項１１】
請求項８乃至１０のうちのいずれか一つに記載の建築フレームにおいて、
前記フレームの一つ又は各々は、前記フレーム要素の必要とされる長さに沿って伸長するように、不特定の長さを有するストリップの形態にすることができることを特徴とする建築フレーム。
【請求項１２】
請求項８乃至１１のうちのいずれか一つに記載の建築フレームにおいて、
前記建築フレームは、組み立て式ウォールの形態であることを特徴とする建築フレーム。
【請求項１３】
請求項８に記載の建築フレームにおいて、
前記フレーム要素の一つは、石工ウォール又はコンクリートウォールであることを特徴とする建築フレーム。
【請求項１４】
建築フレームは、実質的に、本発明の実施形態に関連して本明細書中に記載され、かつ、添付図面に示されたような建築フレームであることを特徴とする建築フレーム。
【請求項１５】
プレートは、実質的に、本発明の実施形態に関連して本明細書中に記載され、かつ、添付図面に示されたようなプレートであることを特徴とするプレート。
【発明の詳細な説明】
【技術分野】
【０００１】
本発明は、フレーミングシステム及びそのための構成要素に関するものであり、特に、音響減衰の特性を有する木材の壁システムに関するものであるが、これに限定されない。
【背景技術】
【０００２】
今日迄、種々の提案が、建築構造の音響減衰を達成するのに出されている。ニュージーランドを含む多くの国における建築法令又は条例は、建築で要求される音響減衰特性を明記する。特に、隣接する部屋間で高レベルの音響減衰が要求される共同住宅の人気が原因で、これらは、現在、多くの国で積極的に施行されている。典型的に、ニュージーランドでは、中間保有壁（inter-tenancy walls）に対して５５の音響透過クラス（ＳＴＣ）が明記されなければならない。
【０００３】
要求されるＳＴＣレベルを達成する建築材料及び／又は建築構成要素に関して、種々の提案が出されている。
【０００４】
オーストラリアの特許明細書１９９９１７３７７（Ｌｙｍｐｉｋｅ社）では、音響振動から建築物の一部を遮断する音響マウントが記載されている。このマウントは、音響を吸収するラバーインサートを有するクリップから構成され、このクリップは、建築構造の二つの部分間の連結を提供するようになっていると共に、この建築構造の二つの部分間の音響の遮断を提供するようになっている。これらの部分は、ブロック壁から離間配置された石膏ボードにすることができよう。弾性インサートに依存するこのような音響マウントは、かなり複雑で高価な多部品構造を必要としがちである。
【０００５】
国際公開第０３／０７１０４４号パンフレット（Ｌａｆａｒｇｅ社）においては、壁の部分間の防音性を改善するために弾性ブレースが提案されており、その弾力性は、ばね鋼プレートへの穴の設置及び一組の穴に沿って伸びる折り曲げ線によって提供されている。そのため、ブレースの中心部分は、多数の平面部分から構成され、この多数の平面部分は、音響振動に反応して相互に開いたり閉じたりすることができる。このブレースの開口及び多数の折り曲げられた中心部分の要件は、その製造の複雑さ及びコストの双方の一因となる。
【発明の開示】
【発明が解決しようとする課題】
【０００６】
本発明は、効果的な方法で建築物の適切な音響減衰を可能にし、及び／又は公衆に有益な選択性を少なくとも提供するフレーミングシステム及びその構成要素を提供することを探求する。
【０００７】
さらに、本発明の目的は、以下の説明から明らかになるであろう。
【課題を解決するための手段】
【０００８】
本発明の一つの態様によれば、建築構造の音響減衰に使用するプレートが提供されており、該プレートは、離間配置された第１フランジ及び第２フランジを有し、各フランジは、使用において前記建築構造のそれぞれの要素に固定されるようになっており、また、該プレートは、前記フランジの隣接端部間で伸びる弾性連結手段を有し、該弾性連結手段は、単一の実質的にＵ字状又はＶ字状を画定する前記プレートの折れ曲がった部分で構成される。
【０００９】
本発明の別の態様によれば、相互に連結されることを必要とする離間配置された少なくとも一組のフレーム要素と、離間配置された第１フランジ及び第２フランジを有する少なくとも一つのプレートとを有する建築フレームが提供されており、各フランジは、前記フレーム要素のそれぞれに固定されており、また、該建築フレームは、前記フレーム要素を離間配置するため前記フランジ間で伸びる弾性連結手段を有し、該弾性連結手段は、単一の実質的にＵ字状又はＶ字状を画定する前記プレートの折れ曲がった部分で構成され、この構造によって、前記フレーム要素に直接的又は間接的に作用する音響が前記弾性連結手段を動作させて、前記建築フレームが組み込まれた建築構造に対し音響減衰特性を提供する。
【００１０】
好ましくは、前記各フランジは、複数の直立爪部が設けられている。
【００１１】
代替的に、前記各フランジは、複数の釘穴が設けられている。
【００１２】
代替的に、一つ又は双方の前記フランジは、使用において前記建築構造のそれぞれの要素に固定されるようになっている端部を設けるために折り曲げられることができる。
【００１３】
任意的に、前記プレートは、不特定の長さを有するストリップの形態にすることができる。
【００１４】
前記弾性連結手段に隣接する前記各フランジは、前記要素に対して前記プレートを位置決めするための直立位置決め手段がそれぞれ設けられているのが好ましい。
【００１５】
本発明のさらに別の態様によれば、実質的に、添付図面の実施形態に関連して本明細書中に記載されたようなプレート及び／又は建築フレームが提供されている。
【００１６】
さらに、その新規な特徴の全てにおいて考えられる本発明の態様は、添付図面を参照して、その可能な実施形態の一例として述べられた以下の説明から明らかになるであろう。
【発明を実施するための最良の形態】
【００１７】
上述のように、本発明は、壁システムのような建築構造の音響減衰を提供することを探求する。図１には、単に一例として、一組の木材スタッド１が壁システムの一部として示されている。
【００１８】
単に一例として、スタッド１に連結されて該スタッドを離間配置している、本発明の可能な一実施形態による一組のプレート２が図示されており、このプレート２は、スタッド１の交互の側面に配置されている。
【００１９】
各プレート２は、図２により詳細に一実施形態が示されている。プレート２は、弾性連結手段５によって隣接する縁部４間が連結された一対のフランジ３が設けられているのが図示されている。フランジ３は、図２に詳細に示すような予め打ち出された複数の釘スパイク６を設けることができる。代替的に、フランジ３は、図１に概略的に図示するような釘穴７を設けることができる。
【００２０】
また、好ましくは、フランジ３は、位置決め手段８をそれぞれ有することができる。位置決め手段８は、図２に詳細に示すような直立突出部を有することができる。この直立突出部は、使用中において、図１に概略的に図示するような釘穴７が設けられたスタッド１の隣接面に対し、プレート２の位置決めを容易にする。
【００２１】
弾性連結手段５は、この実施形態において単一の実質的にＵ字状又はＶ字状をなしているのが図示されており、この弾性連結手段５は、離間配置された面９によって形成されている。この離間配置された面９は、これらの連結端部１０まわりにばね作用で一方が他方に対して動くことができる。
【００２２】
従って、本発明は、建築フレーム中のプレート２がスタッド等１に連結された構造要素に衝撃を与える音響に反作用するような音響減衰のマス―スプリング―マス（mass-spring-mass）の原理を利用する。
【００２３】
実験において、本発明を利用する構造は、単一の木材フレームシステムに関して約７デシベルの改善されたＳＴＣ評価を実現できることがわかった。
【００２４】
典型的に、プレート２は、スタッド等１、上プレート及び底プレートの交互の側面に中央間隔が約６００ｍｍで適合されることができる。
【００２５】
図３には、変更されたプレート２の拡大図が、同じ符号が使用されて示されている。プレート２は、フランジ３から典型的に打ち出された三角形状のスパイク６を有する爪付プレートの形態で示されている。しかしながら、各フランジ３に対して単一の拡張された位置決め手段８が、一対の位置決め手段８に取って替っている。
【００２６】
次に、図４及び図５を参照すると、図１乃至図３に使用されたのと同じ参照符号が適切な所に使用されている。
【００２７】
本発明の複数のプレート２が、一組のスタッド１、一組の上プレート１１、一組の底プレート１２のそれぞれをそれらの長さに沿ってそれらの交互の側面で連結しているのが図示されている。
【００２８】
このように、壁などの組み立て式フレームは、現場外で組み立てられ、その後、必要とされるときに必要とされる所に運ばれる。
【００２９】
個々のプレート２が図４及び図５に示されているが、例えば、プレート２は、スタッド又はプレートの必要とされる長さに沿って支持作用を提供するために、組み立て工程中に現場あるいは現場外で必要とされる長さに切断することができる不特定の長さを有するストリップの形態にすることができると考えられる。
【００３０】
プレート２は、例えば、ルーフトラスの製造で周知なように機械によって取り付けられることができると考えられる。代替的に、プレート２を手で固定することができる。
【００３１】
典型的に、スタッド１は、或る使用では、石膏のウォールボードなどのウォールボードを含む壁システムの一部分にすることができる。
【００３２】
次に、図６を参照すると、同じ参照符号が適切な所に使用されており、プレート２０はＶ字形態をなす弾性部分１０を有し、面９は構造要素への音響衝撃に反応することができる。フランジ２は、釘スパイク６と、スタッド等（図示せず）に係合するスペーサ８とを有する。
【００３３】
しかしながら、他方の第１の短幅フランジ２２は、より長い端部フランジ２１に実質的に９０度で折り曲げられてつながっており、端部フランジ２１は、石工ウォール又はコンクリートウォール等の壁に適当な手段によって固定されるようになっている。
【００３４】
図７において、再び同じ参照符号が適切な所に使用されており、プレート３０は、スタッドを形成しており、連結部分３４によって連結された実質的に対向する面３２，３３でＵ字形態をなす弾性部分３１を有する。フランジ３６，３５は、弾性部分３１のどちらか一方の側面に伸びる。フランジ３６は、石工ウォール又はコンクリートウォール等の壁に適当な手段によって固定されるようになっている端部フランジ３７に折り曲げられてつながっている。
【００３５】
図６及び図７の壁固定手段は、爪またはそのようなものを有することができ、あるいは、壁材へのフランジの埋め込みが考えられる。
【００３６】
他方のフランジ３５は、端部フランジ３８及び折り返し端部３９を設けるために張り出して折り曲げられているのが図示されている。フランジ３８は、内側に向いた表面溝４０を備えているのが示されている。この内側に向いた表面溝４０は、フランジ３８の中央軸線用目印を提供し、壁材の位置決めに役立つ。
【００３７】
構造の無欠性を維持しながら、木材のより小さい外形を使用して二重スタッドシステムを複製するという点で、出願人は、本発明が類のないものであるということを確信する。そのため、より狭い床スペースを用いて、予め切断又は予め釘留めされたフレームの一部又は全部を予め組み立てて形成することができると考えられる。
【００３８】
典型的な木材構造では、スタッド１は、概ね５０ｍｍ×５０ｍｍ程度にすることができるが、より大きなサイズを、構造上の荷重がこれを必要とする所で使用することができると考えられる。
【００３９】
しかしながら、フランジ３は、木材構造以外、例えば、鋼鉄フレーム構造で使用されるプレート２に対して必要とされるように改良できるということが強調される。
【００４０】
前述の説明では、周知の同等物を有する本発明の特定の構成要素あるいは符号に言及されており、このような同等物が、個々に説明されているようにここに含まれている。
【００４１】
本発明は、一例によって及びそれの可能な実施形態に関して説明されているが、添付の特許請求の範囲で画定されているように本発明の範囲から逸脱しないで変更又は改良することができる。
【図面の簡単な説明】
【００４２】
【図１】図１は、本発明の可能な一実施形態による建築フレームの一部をきわめて概略的に示す。
【図２】図２は、本発明の可能な一実施形態によるプレートの斜視図を示す。
【図３】図３は、本発明の別の実施形態によるプレートの斜視図を示す。
【図４】図４は、本発明の可能な一実施形態による組み立て式建築フレームの一部をきわめて概略的に示す。
【図５】図５は、図４に示すフレームの拡大されたコーナー部分を概略的に示す。
【図６】図６は、本発明の別の可能な一実施形態によるプレートを概略的に示す。
【図７】図７は、本発明の更に別の一実施形態によるプレートを概略的に示す。
【図１】
2007505242.tif 000003
【図２】
2007505242.tif 000004
【図３】
2007505242.tif 000005
【図４】
2007505242.tif 000006
【図５】
2007505242.tif 000007
【図６】
2007505242.tif 000008
【図７】
2007505242.tif 000009
【手続補正書】
【提出日】平成17年7月12日(2005.7.12)
【手続補正１】
【補正対象書類名】特許請求の範囲
【補正対象項目名】全文
【補正方法】変更
【補正の内容】
【特許請求の範囲】
【請求項１】
建築構造物の音響減衰に使用するプレートであって、
前記プレートは、
該プレートの対向する外方端縁のそれぞれから内方に伸びる、離間配置された第１フランジ及び第２フランジを有し、
前記フランジは、実質的に平らで、かつ、実質的に同一平面に横たわっており、該各フランジは、使用において前記建築構造物のそれぞれの要素に固定されるようになっており、
また、前記プレートは、
前記フランジの隣接内方端縁間で伸びる弾性連結手段を有し、該弾性連結手段は、単一の実質的にＵ字状又はＶ字状を画定する前記プレートの折れ曲がった部分で構成されることを特徴とするプレート。
【請求項２】
請求項１に記載のプレートにおいて、
前記弾性連結手段に隣接する前記各フランジは、前記要素に対して前記プレートを位置決めするための直立位置決め手段がそれぞれ設けられていることを特徴とするプレート。
【請求項３】
請求項２に記載のプレートにおいて、
前記直立位置決め手段は、１つ以上の突出部を有することを特徴とするプレート。
【請求項４】
請求項１乃至３のうちのいずれか一つに記載のプレートにおいて、
前記各フランジは、複数の直立爪部又は複数の釘穴を有することを特徴とするプレート。
【請求項５】
請求項１乃至４のうちのいずれか一つに記載のプレートにおいて、
前記プレートは、不特定の長さを有する長尺状のストリップの形態であることを特徴とするプレート。
【請求項６】
建築フレームであって、
前記建築フレームは、
相互に連結されることを必要とする離間配置された少なくとも一組のフレーム要素と、離間配置された第１フランジ及び第２フランジを有する少なくとも一つのプレートとを有し、
前記フランジは、前記プレートの対向する外方端縁のそれぞれから内方に伸びていると共に、実質的に平らで、かつ、実質的に同一平面に横たわっており、該各フランジは、前記フレーム要素のそれぞれに固定されており、
また、前記建築フレームは、
前記フレーム要素を離間配置するため前記フランジの隣接内方端縁間で伸びる弾性連結手段を有し、該弾性連結手段は、単一の実質的にＵ字状又はＶ字状を画定する前記プレートの折れ曲がった部分で構成され、
この構造によって、前記フレーム要素に直接的又は間接的に作用する音響が前記弾性連結手段を動作させて、前記建築フレームが組み込まれた建築構造に対し音響減衰特性を提供することを特徴とする建築フレーム。
【請求項７】
請求項６に記載の建築フレームにおいて、
前記フレーム要素は、離間配置された上プレート、離間配置された底プレート及び離間配置されたスタッドで構成されることを特徴とする建築フレーム。
【請求項８】
請求項６又は７に記載の建築フレームにおいて、
複数の前記プレートは、一組の前記スタッドの間、一組の前記底プレートの間及び一組の前記上プレートの間をそれぞれ連結しており、隣接する前記プレートは、前記スタッド、底プレート及び上プレートの交互の側面に連結されていることを特徴とする建築フレーム。
【請求項９】
請求項６乃至８のうちのいずれか一つに記載の建築フレームにおいて、
前記フレームの一つ又は各々は、前記フレーム要素の必要とされる長さに沿って伸長するように、不特定の長さを有するストリップの形態にすることができることを特徴とする建築フレーム。
【請求項１０】
請求項６乃至９のうちのいずれか一つに記載の建築フレームにおいて、
前記建築フレームは、組み立て式ウォールの形態であることを特徴とする建築フレーム。
【請求項１１】
請求項６に記載の建築フレームにおいて、
前記フレーム要素の一つは、石工ウォール又はコンクリートウォールであることを特徴とする建築フレーム。
【請求項１２】
建築フレームは、実質的に、本発明の実施形態に関連して本明細書中に記載され、かつ、添付図面の図１及び図２、図３、及び／又は図４及び図５に示されたような建築フレームであることを特徴とする建築フレーム。
【請求項１３】
プレートは、実質的に、本発明の実施形態に関連して本明細書中に記載され、かつ、添付図面の図１及び図２、又は図３に示されたようなプレートであることを特徴とするプレート。
【手続補正２】
【補正対象書類名】明細書
【補正対象項目名】０００８
【補正方法】変更
【補正の内容】
【０００８】
本発明の一つの態様によれば、建築構造の音響減衰に使用するプレートが提供されており、該プレートは、該プレートの対向する外方端縁のそれぞれから内方に伸びる、離間配置された第１フランジ及び第２フランジを有し、該フランジは、実質的に平らで、かつ、実質的に同一平面に横たわっており、各フランジは、前記建築構造のそれぞれの要素に使用して固定されるようになっており、また、該プレートは、前記フランジの隣接内方端縁間で伸びる弾性連結手段を有し、該弾性連結手段は、単一の実質的にＵ字状又はＶ字状を画定する前記プレートの折れ曲がった部分で構成される。
【手続補正３】
【補正対象書類名】明細書
【補正対象項目名】０００９
【補正方法】変更
【補正の内容】
【０００９】
本発明の別の態様によれば、相互に連結されることを必要とする離間配置された少なくとも一組のフレーム要素と、離間配置された第１フランジ及び第２フランジを有する少なくとも一つのプレートとを有する建築フレームが提供されており、前記フランジは、前記プレートの対向する外方端縁のそれぞれから内方に伸びていると共に、実質的に平らで、かつ、実質的に同一平面に横たわっており、各フランジは、前記フレーム要素のそれぞれに固定されており、また、該建築フレームは、前記フレーム要素を離間配置する前記フランジの隣接内方端縁間で伸びる弾性連結手段を有し、該弾性連結手段は、単一の実質的にＵ字状又はＶ字状を画定する前記プレートの折れ曲がった部分で構成され、この構造によって、前記フレーム要素に直接的又は間接的に作用する音響が前記弾性連結手段を動作させて、前記建築フレームが組み込まれた建築構造に対し音響減衰特性を提供する。
【手続補正４】
【補正対象書類名】明細書
【補正対象項目名】００１２
【補正方法】削除
【補正の内容】
【国際調査報告】
2007505242.tif 000010
2007505242.tif 000011
2007505242.tif 000012